(57)【特許請求の範囲】
【請求項１】
アンテナ部を有する雨水を流すための排水筒部を外筒部で覆ったアンテナ樋本体と、前記アンテナ樋本体の上下端部のうちのいずれか一方又は両方に設けられて前記排水筒部と連通する接続体を備えて、前記排水筒部及び前記外筒部が非導電性材料で形成されたアンテナ付き竪樋を形成し、
既存の竪樋の上下方向の一部を切断して除去し、
次に、前記切断して除去した箇所に、前記アンテナ付き竪樋を配置して前記接続体を残っている前記既存の竪樋の端部に接続し、
次に、前記既存の竪樋に対して前記アンテナ樋本体を回動して前記アンテナ部の受信方向の向きを調整し、建物の外壁に固定され非導電性材料から形成された控え具で前記アンテナ付き竪樋を保持することを特徴とする
既存の竪樋をアンテナ付き竪樋に改装する改装方法。
【請求項２】
アンテナ部を有する雨水を流すための排水筒部を外筒部で覆ったアンテナ樋本体と、前記アンテナ樋本体の上下端部のうちのいずれか一方又は両方に設けられて前記排水筒部と連通する接続体を備えて、前記排水筒部及び前記外筒部が非導電性材料で形成されたアンテナ付き竪樋を形成し、
既存の竪樋の上下方向の一部を切断して除去し、
次に、前記切断して除去した箇所に前記アンテナ付き竪樋を配置して、前記アンテナ部が受信方向に向くようにアンテナ付き竪樋の向きを決めて、前記接続体を残っている前記既存の竪樋の端部に接続し、建物の外壁に固定され非導電性材料から形成された控え具で前記アンテナ付き竪樋を保持することを特徴とする
既存の竪樋をアンテナ付き竪樋に改装する改装方法。
【請求項３】
前記アンテナ部が前記アンテナ樋本体の軸方向に沿ったスロットが形成されたスロットアンテナであることを特徴とする請求項１又は請求項２に記載の既存の竪樋をアンテナ付き竪樋に改装する改装方法。
【発明の詳細な説明】
【技術分野】
【０００１】
本発明は、既存の竪樋をアンテナ付き竪樋に改装する改装方法に関する。
【背景技術】
【０００２】
特許文献１には、既存の導電性を有する竪樋をそのままにした状態で、この既存の導電性を有する竪樋の外面にアンテナ部と伝送路トラップ部を取付ける技術が開示されている。
【０００３】
このアンテナ部は、半円筒状の折り返し部の側方に半円筒状の給電部を設けたアンテナ素体を２枚組み合わせて構成される。
【０００４】
また、伝送路トラップ部は、既存の導電性を有する竪樋にアンテナ部を取付けるに当り、導電性を有する竪樋がアンテナ部の動作を乱さないように設けられる。この伝送路トラップ部は、半割り体を２枚組み合わせた二重筒構造に構成される。
【０００５】
アンテナ部は、既存の導電性を有する竪樋の長手方向の中間部の外面側に、２枚のアンテナ素体の折り返し部を配置し、ねじにより２枚のアンテナ素体を連結することで、既存の竪樋に取付けられる。
【０００６】
伝送路トラップ部は、既存の導電性を有する竪樋の外面側に取付けるに当り、アンテナ部の上下位置に、それぞれ２枚の半割り体を配置し、ねじにより半割り体を連結することで、竪樋に取付けられる。
【先行技術文献】
【特許文献】
【０００７】
【特許文献１】特開平１−１６８１０１号公報
【発明の概要】
【発明が解決しようとする課題】
【０００８】
しかし、特許文献１に示す従来例は、既存の導電性を有する竪樋をそのままにした状態で、既存の導電性を有する竪樋の外面に別部材のアンテナ部と伝送路トラップ部を取付けるため、以下の問題がある。
【０００９】
すなわち特許文献１に示す従来例は、既存の導電性を有する竪樋の外面に別部材のアンテナ部を取付けるため、既存の導電性の竪樋が後から取付けるアンテナ部の性能に影響を及ぼす。したがって、アンテナ部の動作を乱さないようにアンテナ部の上下部に伝送路トラップを形成しなければならいという問題がある。
【００１０】
また、特許文献１に示す従来例は、既存の竪樋の長手方向の外面部に、別部材の２枚のアンテナ素体を連結して構成したアンテナ部、２枚の半割り体を連結して構成した伝送路トラップ部が露出し、竪樋としての外観を大きく損ねるという問題がある。
【００１１】
また、特許文献１に示す従来例は、給電部が既存の竪樋の外面より大きく突出し、いっそう外観を損ね、更に、突出する給電部に人や物が当って、損傷したり、アンテナ特性が変化したりするおそれがある。
【００１２】
本発明の目的は、既存の竪樋によるアンテナ部の性能への影響を抑制することが可能で、また、竪樋としての外観を損ねないようにすることが可能となる既存の竪樋をアンテナ付き竪樋に改装する改装方法を提供するにある。
【課題を解決するための手段】
【００１３】
本発明の既存の竪樋をアンテナ付き竪樋に改装する改装方法は、アンテナ部を有する雨水を流すための排水筒部を外筒部で覆ったアンテナ樋本体と、前記アンテナ樋本体の上下端部のうちのいずれか一方又は両方に設けられて前記排水筒部と連通する接続体を備えて、前記排水筒部及び前記外筒部が非導電性材料で形成されたアンテナ付き竪樋を形成し、既存の竪樋の上下方向の一部を切断して除去し、次に、前記切断して除去した箇所に、前記アンテナ付き竪樋を配置して前記接続体を残っている前記既存の竪樋の端部に接続し、次に、前記既存の竪樋に対して前記アンテナ樋本体を回動して前記アンテナ部の受信方向の向きを調整し、建物の外壁に固定され非導電性材料から形成された控え具で前記アンテナ付き竪樋を保持すすることを特徴とする。
【００１４】
また、アンテナ部を有する雨水を流すための排水筒部を外筒部で覆ったアンテナ樋本体と、前記アンテナ樋本体の上下端部のうちのいずれか一方又は両方に設けられて前記排水筒部と連通する接続体を備えて、前記排水筒部及び前記外筒部が非導電性材料で形成されたアンテナ付き竪樋を形成し、既存の竪樋の上下方向の一部を切断して除去し、次に、前記切断して除去した箇所に前記アンテナ付き竪樋を配置して、前記アンテナ部が受信方向に向くようにアンテナ付き竪樋の向きを決めて、前記接続体を残っている前記既存の竪樋の端部に接続し、建物の外壁に固定され非導電性材料から形成された控え具で前記アンテナ付き竪樋を保持することを特徴とするものであってもよい。
【００１６】
また、前記アンテナ部が前記アンテナ樋本体の軸方向に沿ったスロットが形成されたスロットアンテナであることが好ましい。
【発明の効果】
【００１７】
本発明は、既存の竪樋の外周にアンテナ部を取付けるのではなく、既存の竪樋の長手方向の一部を切断した箇所にアンテナ付き竪樋を配置して残っている既存の竪樋の端部に接続するので、既存の竪樋によるアンテナ部の性能への影響を抑制することが可能となる。また、アンテナ付き竪樋の接続体を、切断後に残っている既存の竪樋の端部に接続し、既存の竪樋に対しアンテナ樋本体を回動してアンテナ部の受信方向の向きを調整するので、簡単な方法で外観を損ねないように竪樋をアンテナ付き竪樋に改装することができる。
【図面の簡単な説明】
【００１８】
【図１】本発明の改装順序を示し、（ａ）は既存の竪樋を切断する前の側面図であり、（ｂ）は既存の竪樋を切断した状態の側面図であり、（ｃ）は控え具を外壁に取付けた状態の側面図である。
【図２】同上の改装順序を示し、（ａ）（ｂ）（ｃ）はアンテナ付き竪樋を取付ける順序を示す側面図である。
【図３】同上の改装後の状態を示す斜視図である。
【図４】同上の断面図である。
【図５】同上のアンテナ付き竪樋の上接続体を上に残存する既存の竪樋に嵌め込み接続した部分の破断した拡大斜視図である。
【図６】同上のアンテナ付き竪樋の下接続体を下に残存する既存の竪樋に嵌め込み接続した部分の破断した拡大斜視図である。
【図７】同上に用いるアンテナ付き竪樋の外筒部を一部省略した斜視図である。
【図８】同上に用いるアンテナ付き竪樋の破断斜視図である。
【図９】同上に用いるアンテナ部を示し、（ａ）は正面側から見た斜視図であり、（ｂ）は背面側から見た斜視図である。
【図１０】同上に用いる下接続体の下方から見た斜視図である。
【図１１】（ａ）は同上に用いる下接続体の嵌め込み凹部に円筒状の既存の竪樋を嵌め込む例を示す説明図であり、（ｂ）は嵌め込み凹部に角筒状の既存の竪樋を嵌め込む例を示す説明図であり、（ｃ）は（ｂ）に比べて角筒状の既存の竪樋を４５度回転した状態で嵌め込む例を示す説明図である。
【図１２】同上に用いる取付部材の斜視図である。
【図１３】同上に用いるアンテナ付き竪樋の控え具の斜視図である。
【図１４】（ａ）（ｂ）（ｃ）は本発明の他の実施形態の改装順序を示し、（ａ）は既存の竪樋を切断する前の側面図であり、（ｂ）は既存の竪樋を切断した状態の側面図であり、（ｂ）は控え具を外壁に取付けた状態の側面図である。
【図１５】同上の改装順序を示し、（ａ）（ｂ）はアンテナ付き竪樋を取付ける順序を示す側面図である。
【発明を実施するための形態】
【００１９】
以下、本発明を添付図面に示す実施形態に基づいて説明する。
【００２０】
本発明の一実施形態を、図１乃至図１３に示す。
【００２１】
アンテナ付き竪樋１は、図７、図８に示すように、雨水を流すための排水筒部３とアンテナ部２とを有するアンテナ樋本体４と、前記アンテナ樋本体４の上下端部のうちのいずれか一方又は両方に設けられて前記排水筒部３と連通する接続体５を備えている。
【００２２】
アンテナ樋本体４は、添付図面に示す実施形態では、アンテナ部２を有し且つ雨水を流すための排水筒部３の長手方向のほぼ全長又は全長を外筒部６で覆った２重筒構造となっている。
【００２３】
アンテナ樋本体４の端部に設ける接続体５は、既存の建物２８に設置してある既存の竪樋７を切断した箇所の切断端部に連通接続するためのものである。実施形態では、アンテナ樋本体４の上端部に接続体５として上接続体８を設け、アンテナ樋本体４の下端部に接続体５として下接続体９を設ける。
【００２４】
そして、本実施形態では、上接続体８、下接続体９により排水筒部３と外筒部６との間の隙間１０が閉塞される。
【００２５】
排水筒部３は、上下方向に軸方向を有する円筒形状となっており、非導電性の合成樹脂材料（例えば塩化ビニル）等の非導電性材料で形成される。
【００２６】
図９に示されるように、アンテナ部２は、排水筒部３の軸方向に沿って長く形成されたスロット１２を有するスロットアンテナにより構成されている。アンテナ部２は導電性部材１１により構成されており、スロット１２を形成した縦長矩形状の鋼板を水平断面Ｃ字状となるよう上下方向に一様に湾曲させることで形成される。
【００２７】
アンテナ部２は複数の取付部材３７により上下方向の複数箇所が排水筒部３に対して固定される。
【００２８】
取付部材３７は、非導電性の合成樹脂のような非導電性材料により形成されている。また、図１２のように、取付部材３７は、一対の半体３８の一端部同士を軸受部３９で回動自在に連結して構成され、一対の半体３８の他端部の係止部４０と被係止部４１が係止自在となっている。
【００２９】
取付部材３７は、アンテナ部側ケーブル１９のアンテナ部２に対する位置を保持するケーブル保持部３６を備えている。
【００３０】
また、各取付部材３７は、径外方向に突出する複数の突出部４２を有している。本実施形態の取付部材３７は、軸受部３９と、係止部４０及び被係止部４１と、ケーブル保持部３６との計４箇所の突出部４２を有している。突出部４２は周方向に等間隔で配置されており、すなわち９０°ごとに径外方向に突出している。この突出部４２は、取付部材３７がアンテナ部２の外周に装着された上で外筒部６が取り付けられると、当該外筒部６の略中心に排水筒部３と排水筒部３に設けられたアンテナ部２とが配置されると共に、外筒部６の内周面に当接又は近接対向するようになる。
【００３１】
アンテナ部２にはスロット１２が上下方向に複数並べて設けられており、隣接するスロット１２同士は細溝１３で接続されている。各スロット１２は三角形の頂点を互いに突き合わせたようなボウタイ形状に形成されている。
【００３２】
アンテナ部２は、第一の周波数帯（例えば４７３〜６００ＭＨｚ）の電波を受信する第一の受信部１４と、第二の周波数帯（例えば６００〜７２０ＭＨｚ）の電波を受信する第二の受信部１５を有している。
【００３３】
第一の受信部１４は、スロット１２及び当該スロット１２の周縁部により構成される。第二の受信部１５は、このスロット１２に対し上下方向に隣接する鋼板部分により構成される。
【００３４】
第一の受信部１４を構成するスロット１２の上下方向の長さは、前記第一の周波数帯内の電波の電気的な半波長の長さと同じである。また、第二の受信部１５の周方向の長さは、前記第二の周波数帯内の電波の電気的な半波長の長さと同じである。
【００３５】
すなわち、第一の周波数帯内の中心周波数が５３６．５ＭＨｚであり、第一の周波数帯内の電波の電気的な半波長λ／２は約２８ｃｍであることから、各スロット１２の上下方向の長さは約２８ｃｍとなっている。また、第二の周波数帯の中心周波数が６６０ＭＨｚであり、第二の周波数帯内の電波の電気的な半波長λ／２は約２３ｃｍであることから、第二の受信部１５の周方向の長さは約２３ｃｍとなっている。
【００３６】
図９に示されるように、アンテナ部２の周方向の両端間に上下に亘って形成された隙間１６は、アンテナ部２の円弧中心を挟んでスロット１２と対向する位置に配置され、スロット１２に対向している。
【００３７】
隙間１６において各スロット１２の後方に位置する部分は、導電性部材１１が存在しない抜き部１７を構成する。各抜き部１７は正面から見てスロット１２と重なる位置に設けられており、上下長さがスロット１２の上下長さよりも長く、周方向長さがスロット１２の周方向長さよりも長く形成されている。
【００３８】
アンテナ部２において上側の第一の受信部１４を構成するスロット１２の両側は三角形状に形成され、これら対向する三角形状部分の夫々の頂点部は、アンテナ部２の給電部１８を構成している。この給電部１８は最上の第一の受信部１４の上下方向の略中央部分に位置している。
【００３９】
図７のように、給電部１８には、アンテナ部側ケーブル１９の一端部が接続される。
【００４０】
アンテナ部側ケーブル１９は同軸ケーブルからなり、内側の導線が一方の給電部１８に接続され、外側の網線が他方の給電部１８に接続される。
【００４１】
アンテナ部側ケーブル１９は、排水筒部３と外筒部６との間の隙間１０を利用して排水筒部３の長手方向に沿って、図４、図５に示すように、上接続体８に設けた引出部４９に至るように配線される。
【００４２】
添付図面に示す実施形態では図５に示すように、引出部４９を構成する孔部にアンテナ部側ケーブル１９の端部の接続具３２が嵌め込んで取付けられる。
【００４３】
外筒部６は非導電性の合成樹脂材料により形成される。
【００４４】
上接続体８は、上下に開口した上接続口部２０と、排水筒部３の上端部を嵌め込むための上内側嵌め込み部２１と、外筒部６の上端部を嵌め込むための上外側嵌め込み部２２を有している。
【００４５】
下接続体９は内部が上下に開口した下接続部２４と、排水筒部３の下端部を嵌め込むための下内側嵌め込み部２５と、外筒部６の下端部を嵌め込むための下外側嵌め込み部２６を有している。
【００４６】
下接続部２４は図１０に示すように、多角形状をした内側角筒部６１と多角形状をした外側角筒部６２の間に下方に開口する嵌め込み凹部６０を設けることで形成され、嵌め込み凹部６０の上底が当り用段部２７となっている。
【００４７】
嵌め込み凹部６０には、図１１（ａ）のように、円筒状の既設の竪樋７を嵌め込んだり、あるいは、図１１（Ｂ）、図１１（ｃ）のように、角筒状の既設の竪樋７を嵌め込んだりできる。
【００４８】
嵌め込み凹部６０には、角筒状の既設の竪樋７は図１１（ｂ）や図１１（ｃ）のように、４５度の回転角度ごと周方向に嵌め込み角度を変えることができる。
【００４９】
排水筒部３の上下端部は、上接続体８の上内側嵌め込み部２１と下接続体９の下内側嵌め込み部２５に嵌め込まれて接続される。
【００５０】
このように排水筒部３の上下両端部に上接続体８と下接続体９を接続することで、上接続口部２０と下接続部２４とが排水筒部３に連通する。
【００５１】
上記構成のアンテナ付き竪樋１を用いて、図１（ａ）に示すような既存の竪樋７をアンテナ付き竪樋１に改装するには以下のようにして行う。
【００５２】
以下、既存の竪樋７が円筒状の場合の実施形態で説明する。
【００５３】
まず、図１（ｂ）のように、既存の建物２８の下階又は上階の外壁３２に沿って存在する既存の竪樋７の上下方向の一部を切断して除去する。
【００５４】
この場合、既存の竪樋７の上下方向において切断除去する長さは、使用しようとするアンテナ付き竪樋１の上下長さよりも少し短い長さとする。
【００５５】
また、図１（ｂ）の実施形態では、既存の竪樋７のうち、切断除去により残った上に残存する既存の竪樋２９、下に残存する既存の竪樋３０は、切断後も控え具３１により既存の建物２８の外壁３２に固定された状態で残存している例である。なお、添付図面中符号４５は既存の軒樋、４６は既存の集水器、４７は既存の呼び樋、４８は既存のエルボを示している。
【００５６】
既存の竪樋７の一部を切断した後、図１（ｃ）のように、既存の竪樋７を切断除去した箇所に対応する外壁３２にこれから取付けようとするアンテナ付き竪樋１を保持するための控え具３３を固定する。
【００５７】
控え具３３は、非導電性の合成樹脂のような非導電性材料で形成されている。また、控え具３３は、図１３に示すように、一対の環状半体５０、５１の一端部同士を軸受部５２により回動自在に連結して構成され、一対の環状半体５０、５１の他端部の係止部５３と被係止部５４が係止自在となっている。
【００５８】
そして、控え具３３の外壁３２への固定に当っては、一方の環状半体５０を固着具により外壁３２に固定し、係止部５３と被係止部５４の係止を解除して環状半体５１を回動して開いた状態としておく。
【００５９】
次に、既存の竪樋７の一部を切断して除去した箇所に、アンテナ付き竪樋１を図２（ａ）のように少し斜めに位置させて配置する。
【００６０】
次に、図２（ｂ）の矢印に示すように、アンテナ付き竪樋１の上接続体８の上接続口部２０を、切断除去により残った上に残存する既存の竪樋２９の端部の外面側に嵌めこむ。
【００６１】
この場合、アンテナ付き竪樋１の下接続体９の下端が、切断除去により残った下に残存する既存の竪樋３０の上端よりも若干上に位置するまで、上接続口部２０を、上に残存する既存の竪樋２９に嵌め込む。
【００６２】
次に、上接続口部２０を、上に残存する既存の竪樋２９に嵌め込んだ状態のまま、図２（ｃ）の矢印に示すように、アンテナ付き竪樋１を少し下方に移動し、下接続体９の下接続部２４を下に残存する既存の竪樋３０の上端部に嵌め込む。
【００６３】
ここで、図４、図６に示すように、下接続部２４の上端に設けた当り用段部２７が下に残存する既存の竪樋３０の上端に当るまで、アンテナ付き竪樋１を下方に移動する。この当り用段部２７が下に残存する既存の竪樋３０の上端に当った状態で、図４、図５に示すように、上接続口部２０が上に残存する既存の竪樋２９に嵌め込まれた状態を維持している。
【００６４】
このように、いわゆる「けんどん式」という嵌め込み方法により、アンテナ付き竪樋１を上下に残存する既存の竪樋２９、３０の端部に嵌め込むことができる。
【００６５】
次に、アンテナ付き竪樋１を、上下に残存する既存の竪樋２９、３０に対して、回動してアンテナ部２の受信方向の向きを調整する。つまり、アンテナ付き竪樋１を回動して指向性を有するアンテナ部２のスロット１２が放送電波を最も強く受信できる向きとなるよう調整する。
【００６６】
調整が終了すると、開いていた環状半体５１を逆方向に回動して、環状体５０、５１の他端部同士を係止することで図３に示すように、アンテナ付き竪樋１の外筒部６を外壁３２に固定した控え具３３で保持する。
【００６７】
次に、アンテナ部側ケーブル１９の端部に設けた接続具３２に、テレビ側ケーブル３４の端部に設けた接続具３２を電気的に接続する。このテレビ側ケーブル３４は、既存の建物２８の外壁３２や軒天井３５から既存の建物内に導入され、既存の建物２８内のテレビ側に接続される。
【００６８】
これにより、既存の竪樋７の一部を新たなアンテナ付き竪樋１に置き換える改装が完了する。
【００６９】
本実施形態は、既存の竪樋７の上下方向の一部を切断して除去した箇所に、アンテナ付き竪樋１を配置して上下接続体８、９を上下に残存する既存の竪樋２９、３０に接続するだけで、簡単に、既存の竪樋７の一部をアンテナ付き竪樋１とする改装ができる。
【００７０】
また、従来のように既存の竪樋７の外周にアンテナ部２を取付けるものにおいては、既存の竪樋７によるアンテナ部２の性能への影響がある。しかしながら、本実施形態は、既存の竪樋７の長手方向の一部を切断した箇所にアンテナ付き竪樋１を配置して残っている既存の竪樋７の端部に接続するので、既存の竪樋７によるアンテナ部２の性能への影響を抑制することが可能となる。この場合、排水筒部３として非導電性材料で形成されたものを用いることで、従来例で必要とされた伝送路トラップ部を設けないことが可能となる。
【００７１】
また、アンテナ付き竪樋１の接続体５を、切断後に残っている既存の竪樋７の端部に接続し、アンテナ樋本体４を回動してアンテナ部２の受信方向の向きを調整するので、簡単な方法で外観を損ねないように竪樋をアンテナ付き竪樋１に改装することができる。
【００７２】
次に、図１４、図１５に基づいて他の実施形態を説明する。
【００７３】
図１４（ａ）のように、既存の建物２８に設置してある既存の竪樋７の一部（本実施形態では下部）をアンテナ付き竪樋１に改装するには以下の順序で行う。
【００７４】
まず図１４（ｂ）に示すように、既存の竪樋７の下部を切断除去する。
【００７５】
次に、図１４（ｃ）のように、既存の竪樋７を切断除去した箇所に対応する外壁３２にこれから取付けようとするアンテナ付き竪樋１を保持するための控え具３３を固定する。
【００７６】
次に、図１５（ａ）に示すように、上に残存する既存の竪樋２９の下端部にアンテナ付き竪樋１の上接続体８の上接続口部２０を、切断除去により残った上に残存する既存の竪樋２９の端部の外面側に嵌め込む。
【００７７】
次に、アンテナ付き竪樋１を、上に残存する既存の竪樋２９に対して、回動してアンテナ部２の受信方向の向きを調整し、図１５（ｂ）に示すように、開いていた環状半体５１を逆方向に回動して、環状体５０、５１の他端部同士を係止することでアンテナ付き竪樋１の外筒部６を外壁３２に固定した控え具３３で保持する。
【００７８】
次に、アンテナ部側ケーブル１９の端部に設けた接続具３２に、テレビ側ケーブル３４の端部に設けた接続具３２を電気的に接続する。
【００７９】
これにより、既存の竪樋７の一部を新たなアンテナ付き竪樋１に置き換える改装が完了する。
【００８０】
前述の実施形態は、既存の竪樋７が円筒状をしている例で説明したが、既存の竪樋７が角筒状の場合につき以下説明する。
【００８１】
本実施形態は、まず、角筒状をした既存の竪樋７を切断除去する。
【００８２】
次に、この切断して除去した箇所にアンテナ付き竪樋１を配置して、上接続口部２０を、上に残存する既存の竪樋２９に嵌め込んで、下接続体９の下端が下に残存する既存の竪樋３０の上端より若干上に位置させる。
【００８３】
この状態で、アンテナ付き竪樋１を回転してアンテナ部２が受信方向に向くようにアンテナ付き竪樋１の向きを決める。アンテナ付き竪樋１におけるアンテナ部２の受信方向の向きを決めるには、次に行う嵌め込み凹部６０と、下に残存する角筒状をした既存の竪樋３０の上端部との嵌め込みができるように、アンテナ付き竪樋１を４５度ずつ回転して決定する。
【００８４】
つまり、嵌め込み凹部６０と、下に残存する角筒状をした既存の竪樋３０の上端部との嵌め込みに当って、図１１（ｂ）、（ｃ）のように４５度の回転角度ごと周方向に嵌め込み角度を変えることができるので、アンテナ付き竪樋１におけるアンテナ部２の受信方向の向きを決めるための回転は４５度ずつ回転して決める。
【００８５】
このようにアンテナ付き竪樋１を回転してアンテナ部２が受信方向に向くようにアンテナ付き竪樋１の向きを決めた後、アンテナ付き竪樋１を下方に移動し、下接続体９の下接続部２４の嵌め込み凹部６０を下に残存する角筒状をした既存の竪樋３０の上端部に嵌め込む。この下接続部２４が下に残存する角筒状をした既存の竪樋３０の上端部に嵌め込まれた状態で、上接続口部２０は上に残存する既存の竪樋２９に嵌め込まれた状態を維持している。これにより、アンテナ付き竪樋１の上接続体８、下接続体９が上下の角筒状をした既存の竪樋２９、３０に接続される。
【００８６】
なお、いずれの実施形態においても、排水筒部３にアンテナ部２を設けるに当って、排水筒部３の外面側に別部材のアンテナ部２を取付部材３７を用いて取付けた例を示したが、排水筒部３の外面側に別部材のアンテナ部２を接着してもよい。また、合成樹脂により排水筒部３を形成する際にアンテナ部２をインサート成形で一体に埋設又は積層してもよい。
【００８７】
また、添付図面に示す実施形態で、アンテナ付き軒樋１は外筒部６を設けた例を示したが、外筒部６を設けないものであってもよい。
【符号の説明】
【００８８】
２  アンテナ部
３  排水筒部
４  アンテナ樋本体
５  接続体
７  既存の竪樋
【図１】
0005580768.tif 000002
【図２】
0005580768.tif 000003
【図３】
0005580768.tif 000004
【図４】
0005580768.tif 000005
【図５】
0005580768.tif 000006
【図６】
0005580768.tif 000007
【図７】
0005580768.tif 000008
【図８】
0005580768.tif 000009
【図９】
0005580768.tif 000010
【図１０】
0005580768.tif 000011
【図１１】
0005580768.tif 000012
【図１２】
0005580768.tif 000013
【図１３】
0005580768.tif 000014
【図１４】
0005580768.tif 000015
【図１５】
0005580768.tif 000016